(57)【要約】      （修正有）【課題】鉋台下面の摩耗を防止すると共に、鉋刃先間隙を調節可能とする鉋を提供する。【解決手段】木製鉋台５の下面に鉋刃孔２の刃先側の中央部へ、台尻に達する溝３を鉋台の長縁と平行に設け、前記溝へ鉋台の下面と面一に硝子板４又は金属板を移動可能に嵌入固定したことを特徴とする。又硝子板又は金属板を設置したことで、鉋台の下面の摩耗の防止、切削屑の容易な除去および良好に削れる寸法範囲を拡大できる。【選択図】図１
0003142683.tif 000002
【実用新案登録請求の範囲】
【請求項１】
木製鉋台の下面に鉋刃孔の刃先側の中央部へ、台尻に達する溝を鉋台の長縁と平行に設け、前記溝へ鉋台の下面と面一に硝子板又は金属板を移動可能に嵌入固定したことを特徴とする鉋台。
【請求項２】
木製鉋台の下面に鉋刃孔の刃先側の中央部へ、台尻に達する溝であって鉋刃孔の幅未満の幅の溝を、鉋台の長縁と平行に設け、前記溝へ下面と面一に硝子板又は金属板を移動可能に嵌入固定したことを特徴とする鉋台。
【請求項３】
金属板をアルミニウム板又は鉄板とすることを特徴とした請求項１又は２記載の鉋台。
【請求項４】
請求項１又は２記載の鉋台へ鉋刃を設置したことを特徴とする鉋。
【考案の詳細な説明】
【技術分野】
【０００１】
この考案は、鉋台の下面の摩耗を防止すると共に、鉋刃の刃先と、鉋台の孔縁との間隙を微調整できるようにすることを目的とした鉋台及び鉋に関する。
【背景技術】
【０００２】
従来鉋台は木材（例えば樫）を使用している。また近来は集成材を使用し、更に鉋台の下面中央部に上面の幅が狭く、下面の幅を広くした蟻溝の入った詰木溝を、後端を幅広く先端を幅狭く傾斜して設け、前記詰木溝に嵌合する形状の紫檀又は黒檀等の堅い木を用いた詰木を、強力な接着剤で接着固定した鉋台も提案されている。
【特許文献１】実公昭４７−１５７５６
【特許文献２】実公平３−２４３２９
【考案の開示】
【考案が解決しようとする課題】
【０００３】
前記従来の鉋台は、木製である為に使用中に摩耗し、刃先との間隔が不正確になるおそれがあった。また鉋台の下面に紫檀又は黒檀を使用した場合には、前記摩耗は少なくなるけれども、長期の使用に対しては摩耗することは防止出来なかった。また前記においても、或いは金属台を使用した場合においても、鉋刃の刃先と、鉋台の孔縁との間隔は不変（製造時のまま）であり、微妙な調整が出来ない問題点があった。
【０００４】
即ち削る場合に、刃先と、鉋台の孔縁との間隔を調整するのであるが、刃を一方的に動かしての調節であるから、刃先の高さが変化するのみで鉋台の孔縁との間隔は不変である。従って、単に刃先の出入調節にすぎないという問題点があった。
【０００５】
前記の外、詰木として紫檀又は黒檀を用いた場合には狂った場合の調整が必要であり、時には黒い色が切削面に付くおそれがあり、刃の出が見えにくく、かつ移動しないので、間隔調整ができないなどの問題点があった。
【課題を解決するための手段】
【０００６】
然るにこの考案は、鉋台の裏面に溝を設け、この溝内に硝子板又は金属板を移動可能に嵌入固定して、前記従来の問題点を解決したのである。
【０００７】
即ちこの考案は、木製鉋台の下面に鉋刃孔の刃先側の中央部へ、台尻に達する溝を鉋台の長縁と平行に設け、前記溝へ鉋台の下面と面一に硝子板又は金属板を移動可能に嵌入固定したことを特徴とする鉋台である。
【０００８】
また他の考案は、木製鉋台の下面に鉋刃孔の刃先側の中央部へ、台尻に達する溝であって鉋刃孔の幅未満の幅の溝を、鉋台の長縁と平行に設け、前記溝へ下面と面一に硝子板又は金属板を移動可能に嵌入固定したことを特徴とする鉋台であり、金属板をアルミニウム板又は鉄板とすることを特徴とした請求項１又は２記載の鉋台であり、請求項１又は２記載の鉋台へ鉋刃を設置したことを特徴とする鉋である。
【０００９】
前記のように、この考案は、鉋台の刃面の中央部に少なくとも刃幅と同等又は刃幅より幅広い溝を設け、該溝内に、硝子板又は金属板を摺動可能に嵌入固定し、下面を面一にしたので、鉋台が摩耗するおそれなく、長く同一状態を保って使用することができる。
【００１０】
また前記硝子板又は金属板を摺動可能に固定したので、木材に鉋をかける時に、削り厚さを正確に定めることができる。
【００１１】
即ち従来削り厚さは、専ら刃先の出る量により調節していたので、刃先と、鉋台の鉋刃孔縁との間隔は調整できなかった。然し乍ら薄く削る場合と、厚く削る場合とは、刃先と、鉋台の鉋刃孔縁との間隔を調節しなければ優れた切削はできなかったが、従来は鉋台が不変であって、前記調節ができなかったので優れた切削は困難であった。
【００１２】
また鉋台は木製が多く、長期の使用によって摩耗するので、新しい鉋では比較的良好に切削できても、鉋台の摩耗につれて、最良の状態がなくなり、遂には使用に耐えなくなった。
【００１３】
また元来１回に切削する厚薄切削量の調節は、専ら鉋刃の突出具合によって定めていたので、鉋の製造時に決めた鉋刃と、鉋刃孔縁との関係位置以外は、調節不良になり、良好な切削はできなかった。換言すれば、鉋の製造時に決めた切削厚さ以外は、満足な切削ができなかったのである。
【考案の効果】
【００１４】
この考案は、鉋台の台尻側下面に長縁と平行な溝を設け、該溝に硝子板（又は金属板）を移動可能に嵌入固定したので、長く使用しても下面が摩耗することなく、鉋台と鉋刃とは新品と同様の相互関係を保ち、常時最良の切削状態を得ることができる効果がある。
【００１５】
また切削厚さを決める際に鉋刃を前後調節し、必然的に刃孔縁と、鉋刃との相互距離が変わるけれども、前記のように硝子板を移動させることによって、鉋刃と、孔縁との間隔を最良に調節し、これを保つことができる効果がある。
【００１６】
更に鉋刃の先と、鉋刃孔との間に切削屑が詰まった場合には、硝子板を移動させて切削屑を取り除き、詰まりを解消できる効果がある。この場合に鉋刃を移動させなくてもよいので、刃先の上下間隔の微調整が不用であり、引き続き同一厚さに切削できる効果がある。
【００１７】
前記において、溝と、硝子板とは、嵌合固定してあるので、硝子板は通常の切削動作では微動もしないが、鉋台の台尻又は硝子板を打撃することによって硝子板が微動し、鉋刃の刃先と、硝子板の端縁との間隔を最良に調節できる効果がある。
【考案を実施するための最良の形態】
【００１８】
この考案は、木製鉋台の下面に鉋刃孔の刃先側の中央部へ、台尻に達する溝を設け、該溝へ鉋台の下面と面一に硝子板を移動可能に嵌入固定した鉋台に鉋刃を設置して鉋としたものである。
【００１９】
前記鉋台の材質は、従来使用の堅木を用い又は集成材を用いる。然して硝子板が摩耗しないので、木製他部も殆ど摩耗なく長期に亘って使用することができる。
【００２０】
また鉋台の一部に硝子板を用いることにより、木製鉋台より若干重くなるが、使用に支障なく、労力についても大差はない。却って安定性を増す利点がある。
【実施例１】
【００２１】
この考案の実施例を図１に基づいて説明すると、集成材製の鉋台本体１の下面であって鉋刃孔２の刃先側下面１ａの中央部へ、前記鉋刃孔２の幅（Ｗ０）より狭い幅（Ｗ２）の溝３を、鉋台本体１の台尻面１ｂに達する迄設け、前記溝３内へ、溝３の深さと同一厚さ、同一長さと幅の硝子板４を移動可能に嵌入固定する。従って硝子板４は、前記溝３の底面及び側面と、弾性接触して、その摩擦力により緊密に保持されて、この考案の鉋台５となる。この鉋台５に鉋刃６を設置すると、この考案の鉋１０となる。前記溝３の幅Ｗ２は、鉋刃の幅Ｗ１と同等又は広くする。前記硝子板の、鉋刃と向き合う下隅４ａは微小面とする。
【００２２】
前記実施例において台尻面１ｂを矢示７のように叩くと、硝子板４は矢示８のように移動し、硝子板１ｃを矢示９のように叩くと、硝子板４は矢示１１のように移動させることができる。そこで叩く位置と、強さによって、硝子板４の位置を微調整することができる。図中１２は押さえ棒、１３は木材である。
【００２３】
鉋で木を削る場合には、鉋刃６の刃先６ａの突出量と、硝子板４の先端４ａとの間隔Ｌにより定まる。従来の鉋は、削り厚さを調節するのに、専ら鉋刃の下降量ｈ（図２（ｂ））により決まっており、前記のような間隔Ｌの調節はできなかったので、削り厚さに制約があり、良好な削り屑を得ることは至難であった。然るにこの考案によれば、下降量ｈに対し、最も適した間隔Ｌを設定することができるので、良好に削れる寸法範囲を大幅に拡大することができる。
【００２４】
このように、切削が良好になれば、製品の削り屑も良好になり、品質を保証されることになる。
【００２５】
また図２（ａ）は蟻溝３ａを示すもので、溝の左右壁を若干内側へ傾斜（例えば３°〜５°）させることにより、硝子板４の浮き上りを防止することができる。
【図面の簡単な説明】
【００２６】
【図１】（ａ）この考案の鉋の斜視図、（ｂ）同じく一部を断面した裏面の斜視図、（ｃ）同じく断面図。
【図２】（ａ）同じく他の実施例の一部断面拡大図、（ｂ）同じく鉋刃の出入を説明する為の拡大断面図。
【符号の説明】
【００２７】
１    鉋台本体
２    鉋刃孔
３    溝
４    硝子板
５    鉋台
６    鉋刃
１０  鉋
【図１】
0003142683.tif 000003
【図２】
0003142683.tif 000004